(57)【特許請求の範囲】
【請求項１】
カメラボディに固定される固定筒；
この固定筒に独立して回転操作可能に支持されたフォーカス操作環とズーム操作環；
上記フォーカス操作環と一緒に回動し、回動によってフォーカスレンズ群を光軸方向に進退させるフォーカスカム筒；及び
上記ズーム操作環と一緒に回動し、回動によって変倍レンズ群を光軸方向に進退させるズームカム筒；
を有するズームレンズ鏡筒において、
上記固定筒に、上記二つのカム筒のいずれか一方を回転自在に支持する大径部と、該大径部の一方の端部に設けた該大径部より大径の第１当接部と、上記二つのカム筒の他方を回転自在に支持する小径部と、この大径部の上記第１当接部と反対側の端部と小径部との間に位置する中径部と、該中径部と小径部を接続する第２当接部とを形成し、
この中径部に押さえ環を支持し、
上記一方のカム筒の一方の端面が上記第１当接部に当接し、
上記他方のカム筒の一方の端部に、上記第２当接部に当接する、径方向に延びる第１フランジを形成し、
上記押さえ環が、一方の端面に形成した、上記一方のカム筒の他方の端面に当接する光軸方向位置規制面と、他方の端部に形成した、上記第２当接部との間で上記第１フランジを挟持する、径方向に延びる第２フランジと、を備えることを特徴とするズームレンズ鏡筒。
【請求項２】
請求項１記載のズームレンズ鏡筒において、上記押さえ環は上記中径部に螺合されているズームレンズ鏡筒。
【発明の詳細な説明】
【０００１】
【技術分野】
本発明は、一眼レフカメラ用の交換ズームレンズ鏡筒に関し、特にそのフォーカスカム筒とズームカム筒の支持構造に関する。
【０００２】
【従来技術及びその問題点】
一眼レフカメラ用の比較的簡単な構造の交換ズームレンズ鏡筒として、カメラボディに固定される固定筒に独立して回転操作可能にフォーカス操作環とズーム操作環を支持し、さらに、フォーカス操作環と一緒に回動し回動によってフォーカスレンズ群を光軸方向に進退させるフォーカスカム筒と、ズーム操作環と一緒に回動し回動によって変倍レンズ群を光軸方向に進退させるズームカム筒とを設けた鏡筒が知られている。このフォーカスカム筒とズームカム筒は、固定筒にねじ結合する態様と、単に光軸方向の移動を規制して固定筒に支持する態様とがある。
【０００３】
後者の態様では従来、フォーカスカム筒とズームカム筒用にそれぞれ光軸方向移動を規制する押さえ環を設ける構成、あるいは、フォーカスカム筒とズームカム筒を当接させ、押さえ環を単一とした構成が知られている。しかし、前者は押さえ環が二つ必要であり、後者はフォーカスカム筒とズームカム筒とが接触しているため、相互に予期せぬ回転を与えてしまうおそれがある。
【０００４】
【特許文献】
実開平２-４１２１０号公報
【０００５】
【発明の目的】
本発明は、従来のズームレンズ鏡筒についての以上の問題意識に基づき、フォーカスカム筒とズームカム筒の光軸方向の位置規制を単一の押さえ環で行うことができ、しかも、二つのカム筒を当接させることのないズームレンズ鏡筒を得ることを目的としている。
【０００６】
【発明の概要】
本発明は、カメラボディに固定される固定筒；この固定筒に独立して回転操作可能に支持されたフォーカス操作環とズーム操作環；上記フォーカス操作環と一緒に回動し、回動によってフォーカスレンズ群を光軸方向に進退させるフォーカスカム筒；及び上記ズーム操作環と一緒に回動し、回動によって変倍レンズ群を光軸方向に進退させるズームカム筒；を有するズームレンズ鏡筒において、上記固定筒に、上記二つのカム筒のいずれか一方を回転自在に支持する大径部と、該大径部の一方の端部に設けた該大径部より大径の第１当接部と、上記二つのカム筒の他方を回転自在に支持する小径部と、この大径部の上記第１当接部と反対側の端部と小径部との間に位置する中径部と、該中径部と小径部を接続する第２当接部とを形成し、この中径部に押さえ環を支持し、上記一方のカム筒の一方の端面が上記第１当接部に当接し、上記他方のカム筒の一方の端部に、上記第２当接部に当接する、径方向に延びる第１フランジを形成し、上記押さえ環が、一方の端面に形成した、上記一方のカム筒の他方の端面に当接する光軸方向位置規制面と、他方の端部に形成した、上記第２当接部との間で上記第１フランジを挟持する、径方向に延びる第２フランジと、を備えることを特徴としている。
【０００７】
この構成によると、単一の押さえ環によって両カム筒の光軸方向移動を規制することができる。
【０００９】
押さえ環は、中径部にバヨネット結合する態様、あるいは止めねじで固定する態様でもよいが、螺合する態様が最も構造及び組立が簡単である。
【００１０】
【発明の実施形態】
図１ないし図３は、本発明によるズームレンズ鏡筒の一実施形態を示している。カメラボディに固定される固定筒１０は、外側固定筒１１と内側固定筒１２を有している。外側固定筒１１には、その前部外周にフォーカス操作環１３が回転自在に支持され、後方外周にズーム操作環１４が回転自在に支持されている。１５は、ズーム操作環１４の光軸方向移動を規制する抜け止め環である。
【００１１】
内側固定筒１２は、その前方から順に、１群レンズ固定部１２ａ、大径部１２ｂ、中径部１２ｃ、小径部１２ｄ及びバヨネット部１２ｅを有している。さらに、１群レンズ固定部１２ａと大径部１２ｂの間は第１当接部１２ｆをなし、中径部１２ｃと小径部１２ｄの間は第２当接部１２ｇをなしている。本実施形態のレンズ系は、物体側から順に、固定レンズ群Ｌ１、フォーカスレンズ群Ｌ２、変倍レンズ群Ｌ３、Ｌ４及び固定レンズ群Ｌ５を有しており、固定レンズ群Ｌ１は１群レンズ固定部１２ａに固定され、固定レンズ群Ｌ５は、小径部１２ｄの後部に固定されている。バヨネット部１２ｅはカメラボディに着脱される。
【００１２】
大径部１２ｂの内側には、フォーカスレンズ群Ｌ２を固定した２群枠１６が位置し、外側には、フォーカスカム筒１７が回転自在に位置している。フォーカスカム筒１７の前端面は第１当接部１２ｆに当接している。２群枠１６から径方向に突出させたフォロアピン１６ａは、大径部１２ｂに形成した光軸と平行な直進案内溝１２ｂ１及びフォーカスカム筒１７に形成したカム溝（リード溝）１７ａ（図２参照）に嵌まっている。また、フォーカスカム筒１７から径方向に突出させた回転伝達ピン１７ｂは、外側固定筒１１に形成した周方向溝１１ａを通ってフォーカス操作環１３の内周面に形成した回転伝達穴１３ａに嵌まっている。従って、フォーカス操作環１３を正逆に回転すると、フォーカスカム筒１７が一緒に回動し、直進案内溝１２ｂ１に直進案内されている２群枠１６（フォーカスレンズ群Ｌ２）がカム溝１７ａに従い光軸方向に進退してフォーカシングがなされる。
【００１３】
小径部１２ｄの内側には、前方から順に、変倍レンズ群Ｌ３を固定した３群枠１８と変倍レンズ群Ｌ４を固定した４群枠１９が位置し、外側には、ズームカム筒２０が回転自在に位置している。ズームカム筒２０の前端部に形成した外方フランジ（第１フランジ）２０ｄの前端面は第２当接部１２ｇの後端面に当接している。３群枠１８から径方向に突出させたフォロアピン１８ａは、小径部１２ｄに形成した光軸と平行な直進案内溝１２ｄ１及びズームカム筒２０に形成したカム溝２０ａ（図３参照）に嵌まっている。同様に、４群枠１９から径方向に突出させたフォロアピン１９ａは、小径部１２ｄに形成した光軸と平行な直進案内溝１２ｄ２及びズームカム筒２０に形成したカム溝２０ｂ（図３参照）に嵌まっている。また、ズームカム筒２０から径方向に突出させた回転伝達ピン２０ｃは、外側固定筒１１に形成した周方向溝１１ｂを通ってズーム操作環１４の内周面に形成した回転伝達穴１４ａに嵌まっている。従って、ズーム操作環１４を正逆に回転すると、ズームカム筒２０が一緒に回動し、直進案内溝１２ｄ１と直進案内溝１２ｄ２に直進案内されている３群枠１８（変倍レンズ群Ｌ３）と４群枠１９（変倍レンズ群Ｌ４）がカム溝２０ａとカム溝２０ｂに従い光軸方向に進退してズーミングがなされる。
【００１４】
内側固定筒１２の中径部１２ｃには、フォーカスカム筒１７とズームカム筒２０の光軸方向位置を規制する押さえ環２１が螺合されている。この押さえ環２１は、前側端面２１ａが大径部１２ｂと中径部１２ｃの間の段部に当接するように中径部１２ｃに一杯にねじ込んだとき、該前側端面２１ａがフォーカスカム筒１７の後端面に当接する。また、押さえ環２１の後端部には、内方フランジ（第２フランジ）２１ｂが形成されていて、この内方フランジ２１ｂがズームカム筒２０の前端部に形成した外方フランジ（第１フランジ）２０ｄに係合する。すなわち、前側端面２１ａはフォーカスカム筒１７に係合してその光軸方向位置を規制する光軸方向位置規制面を構成し、内方フランジ２１ｂはズームカム筒２０の外方フランジ２０ｄに係合してその光軸方向位置を規制する光軸方向位置規制面を構成している。
【００１５】
従って上記構成の本ズームレンズ鏡筒は、フォーカスカム筒１７とズームカム筒２０の光軸方向の位置規制を押さえ環２１単独で行うことができる。フォーカスカム筒１７とズームカム筒２０は当接していないから、フォーカス操作環１３を回動させて行うフォーカシングあるいはズーム操作環１４を回動させて行うズーミングの際に、一方の回動が他方の回動に影響を与えることがない。
【００１６】
以上の実施形態の内側固定筒１２は、大径部１２ｂ、中径部１２ｃ及び小径部１２ｄが必須であるが、その他の部分の構成には自由度がある。例えば１群レンズ固定部１２ａ（固定レンズ群Ｌ１）を省略したズームレンズ系にも本発明は適用可能であり、固定レンズ群Ｌ５の支持態様（有無）も問わない。また、以上の実施形態では、フォーカスカム筒１７（フォーカス操作環１３）を前方に配置し、ズームカム筒２０（ズーム操作環１４）を後方に配置したが、この前後関係は逆にしてもよい。
【００１７】
ちなみに、図４、図５は従来のズームレンズ鏡筒を示している。図４は、フォーカスカム筒１７用とズームカム筒２０用にそれぞれ押さえ環３１と押さえ環３２を設けた従来例、図５は、フォーカスカム筒１７の後端部にズームカム筒２０の前端面に当接する内方フランジ１７Ｘを設けて、単一の押さえ環３３を用いた例である。この他の部分は、図１のズームレンズ鏡筒と同一である。
【００１８】
【発明の効果】
本発明によれば、フォーカスカム筒とズームカム筒の光軸方向の位置規制を単一の押さえ環で行うことができ、しかも、二つのカム筒を当接させることのないズームレンズ鏡筒を得ることができる。
【図面の簡単な説明】
【図１】  本発明によるズームレンズ鏡筒の一実施形態を示す上半縦断面図である。
【図２】  図１のII矢視展開図である。
【図３】  図１のIII矢視展開図である。
【図４】  従来のズームレンズ鏡筒の例を示す上半断面図である。
【図５】  従来のズームレンズ鏡筒の他の例を示す上半断面図である。
【符号の説明】
Ｌ１      固定レンズ群
Ｌ２      フォーカスレンズ群
Ｌ３      変倍レンズ群
Ｌ４      変倍レンズ群
Ｌ５      固定レンズ群
１０      固定筒
１１      外側固定筒（固定筒）
１１ａ    周方向溝
１１ｂ    周方向溝
１２      内側固定筒（固定筒）
１２ａ    １群レンズ固定部
１２ｂ    大径部
１２ｂ１  直進案内溝
１２ｃ    中径部
１２ｄ    小径部
１２ｄ１  直進案内溝
１２ｄ２  直進案内溝
１２ｅ    バヨネット部
１２ｆ    第１当接部
１２ｇ    第２当接部
１３      フォーカス操作環
１３ａ    回転伝達穴
１４      ズーム操作環
１４ａ    回転伝達穴
１６      ２群枠
１７      フォーカスカム筒
１８      ３群枠
１９      ４群枠
２０      ズームカム筒
２０ａ    カム溝
２０ｂ    カム溝
２０ｃ    回転伝達ピン
２０ｄ    外方フランジ（第１フランジ）
２１      押さえ環
２１ｂ    内方フランジ（第２フランジ）
【図１】
0004153784.tif 000002
【図２】
0004153784.tif 000003
【図３】
0004153784.tif 000004
【図４】
0004153784.tif 000005
【図５】
0004153784.tif 000006